(57)【要約】【課題】  本発明は、建造物の所定の位置に設けられ液体をタンクに貯留して、地震や風による建造物の振動を抑制する制振装置に関し、液体の粘性が変化しないようにすることが課題である。【解決手段】  液体Ｗを貯留するタンク３の空間部４に、大気よりも比重の重い不活性ガスを混入させ、前記液体Ｗの表面を覆うようにした制振装置１とする。【選択図】    図１
2005036557.tif 000002
【特許請求の範囲】
【請求項１】
液体を貯留するタンクの空間部に、大気よりも比重の重い不活性ガスを混入させ、前記液体の表面を覆うようにしたこと、
を特徴とする制振装置。
【請求項２】
タンクの少なくとも一部を、植生物の緑化領域としたこと、
を特徴とする請求項１に記載の制振装置。
【請求項３】
請求項１または２に記載の制振装置を所望の場所に設置して成ること、
を特徴とする建造物。
【発明の詳細な説明】
【技術分野】
【０００１】
本発明は、建造物の所定の位置に設けられる制振装置に係り、詳しくは、液体をタンクに貯留して、地震や風による建造物の振動を抑制する制振装置と建造物に関する。
【背景技術】
【０００２】
従来において、図３に示すように、建造物２の屋上に支持台２ａを介して貯留用タンク３が設けられ、そのタンク３に仕切り板３ａにより複数段に水等の液体Ｗが貯留されて、このタンク３の固有振動周期と前記建造物２の固有振動周期とを一致させて、地震や風等の外力による建造物の振動を抑制するものが知られている（例えば、特許文献１参照。）。
【０００３】
【特許文献１】特開平７−１３３６８１号公報（第１−４頁、第１図、第８図）
【発明の開示】
【発明が解決しようとする課題】
【０００４】
しかしながら、前記タンク３には、液体Ｗが貯留されているものの、その上部には、通常、空間部４があって、そこに大気が存在する。前記液体が、水道水等の有機物質を含む液体であるとき、長年の時の経過により、液体中に水草や微生物が発生し、これにより、前記液体の粘性が変化することで、スロッシング現象（液体の動揺）に障害を及ぼすことになる。かかる状態になると、液体が所要の性能を発揮することができず、建造物の振動を効率的に抑制することができなくなる。本発明に係る制振装置と建造物とはこのような課題を解決するために提案されたものである。
【課題を解決するための手段】
【０００５】
上記課題を解決するために、本発明に係る制振装置の要旨は、液体を貯留するタンクの空間部に、大気よりも比重の重い不活性ガスを混入させ、前記液体の表面を覆うようにしたことである。また、前記タンクの少なくとも一部を、植生物の緑化領域としたことを含むものである。
【０００６】
本発明に係る建造物の要旨は、前記制振装置を所望の場所に設置してなるものである。
【０００７】
前記本発明に係る制振装置によれば、不活性ガスが大気よりも比重が重いので、空間部において下に滞留し、液体の表面を覆って、大気中の酸素と液体表面とが直接触れることが無くなる。よって、液体中の有機物が酸素と反応しなくなり、水草や微生物の発生・増殖が防止されることになる。前記タンクの少なくとも一部を緑化させることで、都市のヒートアイランド現象を防ぎ、緑地を増やすことで地球環境に優しくなる。
【０００８】
また、本発明に係る建造物によれば、制振装置の性能が長期に亘って新設時のままに維持され、メンテナンスフリーで振動の抑制された建物となる。
【発明の効果】
【０００９】
上記説明したように、本発明に係る制振装置は、液体を貯留するタンクの空間部に、大気よりも比重の重い不活性ガスを混入させ、前記液体の表面を覆うようにしたので、液体中に水草が発生したり、有機物が増殖したりしなくなって、液体の粘性が恒久的に維持され、制振装置の固有振動周期が一定に保たれて、制振装置としての性能が維持されると言う優れた効果を奏するものである。更に、タンクの一部又は全部に、緑化領域を設けて、色々な植生物を植えることで、都市の緑化対策に貢献し、ヒートアイランド現象を後退させると言う優れた効果を奏するものである。
【００１０】
また、前記制振装置を所望の場所に設置した建造物は、振動抑制の性能が長期に亘って良好に維持され、メンテナンスフリーでコストも掛からない。
【発明を実施するための最良の形態】
【００１１】
次に、本発明に係る制振装置について、図面を参照して説明する。なお、発明の理解を容易にするため、従来例に対応する部分には従来例と同一の符号を付けて説明する。
【００１２】
前記制振装置１は、図１に示すように、例えば、建造物２の屋上に設置された貯留用タンク３に、水道水等の液体Ｗが、上下方向に複数段に仕切られて貯留されているとともに、各貯留段において、上部の空間部４に、大気よりも比重の重い不活性ガスが混入されている。
【００１３】
前記不活性ガスは、前記液体Ｗの表面を十分に覆う両が在れば良い。勿論、空間部４の全領域をこの不活性ガスで充満させることも可能であるが、大気中の酸素が液体Ｗ中の有機物等と反応しなければ、目的を達成することができるので、確実に、液体Ｗ表面を覆う量があれば十分である。また、不活性ガスが大気の比重よりも重いので、時の経過により自然に降下し、空間部４の下部、即ち、液体Ｗの表面に滞留するようになる。
【００１４】
前記不活性ガスは、例えば、比較的安全なアルゴン，クリプトン，キセノンである。これらの不活性ガスをタンク３の空間部４に混入させるには、図２に示すように、先ず、水供給源５から、ポンプユニット６と、注入計量ユニット７を介して、ホース８で供給管８ａから空間部４に水を所定量注入する。
【００１５】
前記液体Ｗの注入により、空間部４中の大気が押し出されて、連通管９の空隙９ａから外部に排出される。そして、液体Ｗの注入作業が完了した後に、ホース１０から不活性ガスを所要量、前記空間部４に注入する。それにより、大気が空間部４から押し出されて、前記空隙９ａから外部に排出される。
【００１６】
このように、タンク３の各段の空間部に、液体Ｗと不活性ガスとの注入作業を行う。前記空間部４に混入された不活性ガスは、大気よりも比重が重いので、やがて下に滞留するようになる。そして、液体Ｗの表面に滞留し覆うようになる。こうして、液体Ｗ中の有機物が大気の酸素と反応することができなくなる。よって、液体Ｗ中に水草が発生したり、有機物が増殖したりする事がない。
【００１７】
前記建造物２に、地震や風により振動した場合に、タンク３の液体Ｗが振動することで、液体Ｗの水面が立ち上がって、不活性ガス層を突き破ることもあるが、振動等の外力が治まれば、不活性ガス層が元に戻り、有機物等の増殖に至ることはない。更に、前記タンク３の上部の一部又は全部に、緑化領域を設けて、この中に土砂を搬入し、色々な植生物を植える。これにより、都市の緑化対策に貢献し、ヒートアイランド現象を後退させることとなる。
【図面の簡単な説明】
【００１８】
【図１】本発明に係る制振装置１の平面図（Ａ）と、正面図（Ｂ）である。
【図２】同本発明に係る制振装置１の使用状態説明図（Ａ）と、連通管９の断面図（Ｂ）と、一部拡大正面図（Ｃ）である。
【図３】従来例に係る制振装置の正面図（Ａ）と、一部拡大縦断正面図（Ｂ）である。
【符号の説明】
【００１９】
１              制振装置、          ２          建造物、
２ａ            支持台、            ３          タンク、
３ａ            仕切り板、          ４          空間部、
５              水供給源、          ６          ポンプユニット、
７              注入計量ユニット、  ８          ホース、
９              連通管、            ９ａ        空隙、
１０            ホース。
【図１】
2005036557.tif 000003
【図２】
2005036557.tif 000004
【図３】
2005036557.tif 000005